(57)【要約】【課題】施錠時においても開いた窓を適切に閉じることができる窓用錠装置を提供する。【解決手段】窓用錠装置Ａ１は、窓戸Ｗ２側に設けられたストッパ２１と、戸枠Ｗ１側に設けられた施錠機構１と、を備え、施錠機構１は、フック部１１１がストッパ２１の移動軌跡Ｔと干渉する第１状態と、フック部１１１がストッパ２１の移動軌跡Ｔと干渉しない第２状態との間を回動可能に支持されたラッチ部材１１と、ラッチ部材１１を第１状態に保持するロック位置と、ラッチ部材１１を回動可能とする非ロック位置とを選択できるロック部材１２と、を備え、ロック部材１２にロック位置をとらせている状態において、ストッパ２１が開方向Ｘ１から閉方向Ｘ２に移動してフック部１１１に接触したとき、ストッパ２１の移動力により、フック部１１１がストッパ２１の移動軌跡Ｔと干渉しないようにラッチ部材１１を退避させるラッチ部材退避機構４を備える。【選択図】図７
2012172327.tif 000002
【特許請求の範囲】
【請求項１】
戸枠と、この戸枠に嵌め込まれ、開閉移動する窓戸とを備える窓に設ける窓用錠装置であって、
上記窓戸側に設けられたストッパと、上記戸枠側に設けられた施錠機構と、を備え、
上記施錠機構は、
フック部を有してこのフック部が上記ストッパの移動軌跡と干渉する第１状態と、上記フック部が上記ストッパの移動軌跡と干渉しない第２状態との間を回動可能に支持されたラッチ部材と、
上記ラッチ部材を上記第１状態に保持するロック位置と、上記ラッチ部材を回動可能とする非ロック位置とを選択できるロック部材と、を備え、
上記ロック部材に上記ロック位置をとらせている状態において、上記ストッパが開方向から閉方向に移動して上記フック部に接触したとき、上記ストッパの移動力により、上記フック部が上記ストッパの移動軌跡と干渉しないように上記ラッチ部材を退避させるラッチ部材退避機構を備えることを特徴とする、窓用錠装置。
【請求項２】
上記ラッチ部材退避機構は、
上記ストッパの上記閉方向への移動にともない、上記ラッチ部材を、上記閉方向に移動させるとともに上記ストッパの移動軌跡から離間する方向に移動させるガイド機構と、
上記ラッチ部材を、上記第２状態から上記第１状態に向けて回動する方向、および上記開方向への付勢力を付与するための付勢部材と、を有する、請求項１に記載の窓用錠装置。
【請求項３】
上記ラッチ部材は、このラッチ部材を収容するケースに支持されており、
上記ガイド機構は、上記ラッチ部材または上記ケースのいずれか一方に設けられるガイド穴と、上記ラッチ部材または上記ケースの他方に設けられ、上記ガイド穴に嵌まる軸部と、を備え、
上記ガイド穴は、全体として、上記開方向から上記閉方向に向かうにつれて上記ストッパの移動軌跡から離間するように傾斜している、請求項２に記載の窓用錠装置。
【請求項４】
上記ガイド穴は、上記ストッパの移動軌跡に沿う方向に延びる第１部分と、この第１部分につながり、上記ストッパの移動軌跡に対して近接ないし離間する方向に延びる第２部分とを有する、請求項３に記載の窓用錠装置。
【請求項５】
上記付勢部材は、上記ケースおよび上記ラッチ部材に連結される引張コイルバネを含んで構成され、
上記引張コイルバネの一方の端部は、上記ラッチ部材が上記第１状態をとるときの上記フック部よりも上記開方向に変位した位置において上記ケースに連結され、
上記引張コイルバネの他方の端部は、上記一方の端部よりも上記ストッパの移動軌跡に対して離間する方向に変位した位置において上記ラッチ部材に連結されている、請求項２ないし４のいずれかに記載の窓用錠装置。
【請求項６】
上記施錠機構は、上記ロック部材を上記ロック位置と上記非ロック位置との間で移動させるソレノイドを含んで構成されており、
上記ロック部材は、上記ソレノイドの通電時に上記ロック位置をとり、上記ソレノイドの非通電時に上記非ロック位置をとる、請求項１ないし５のいずれかに記載の窓用錠装置。
【請求項７】
上記ストッパは、窓戸の開閉方向に離間する第１および第２のストッパを含んで構成され、
上記第１のストッパは、窓戸が全閉もしくは略全閉である状態において、上記フック部との干渉により上記窓戸が上記開方向へ移動するのを阻止し、
上記第２のストッパは、窓戸が全閉状態から所定量開いた状態において、上記フック部との干渉により上記窓戸がさらに上記開方向へ移動するのを阻止する、請求項１ないし６のいずれかに記載の窓用錠装置。
【請求項８】
上記窓戸が全閉もしくは略全閉である状態にあるか否かを検出する検出手段をさらに備える、請求項７に記載の窓用錠装置。
【請求項９】
上記ラッチ部材退避機構は、
上記ラッチ部材を上記第１状態から上記第２状態に向けて回動する方向への付勢力を付与するための第１の付勢部材と、
上記ロック部材の上記非ロック位置から上記ロック位置への移動にともなって上記ラッチ部材を上記第２状態から上記第１状態に回動させる第１のカム機構と、
上記ロック部材を上記ラッチ部材から離間した回動軸周りに回動させる回動機構と、
上記ロック部材を上記ストッパの移動軌跡から離間する位置から上記ストッパの移動軌跡に近接する位置に向けて回動する方向への付勢力を付与するための第２の付勢部材と、
上記ラッチ部材が上記第１状態をとるとき、上記ストッパの上記開方向から上記閉方向への移動により、上記ラッチ部材を上記第２状態に向けて回動させる第２のカム機構とを、備え、
上記第２の付勢部材による付勢力は、上記第１の付勢部材による付勢力よりも大とされている、請求項１に記載の窓用錠装置。
【発明の詳細な説明】
【技術分野】
【０００１】
本発明は、戸枠と、この戸枠に嵌め込まれ、開閉移動する窓戸とを備える窓に設ける窓用錠装置に関する。
【背景技術】
【０００２】
高齢者施設や病院などにおいて、窓を十分に開放した状態にしておくと、窓から身を乗り出して転落するおそれがあり、安全管理上の問題がある。その一方、窓を常に全閉状態で施錠しておくと、換気等ができないので不都合である。このような問題を解消するために、窓の開放幅を人が出られない程度の所定量に制限する、窓用錠装置が提案されている。
【０００３】
従来の窓用錠装置は、たとえば、窓戸側に設けられたストッパと、戸枠側に設けられた施錠機構とを備える。施錠機構は、たとえばラッチ部材と、ロック部材とを備え、戸枠に取り付けられるケース内に収容される。ラッチ部材は、ストッパの移動軌跡と干渉する干渉状態（第１状態）と、ストッパの移動軌跡と干渉しない非干渉状態（第２状態）との間で回動可能に支持されている。ロック部材は、上記ラッチ部材を干渉状態に保持するロック位置と、上記ラッチ部材を回動可能とする非ロック位置とをとるように構成される。窓用錠装置の施錠時には、ロック部材にロック位置をとらせる。ロック部材のロック位置と非ロック位置との切り替えは、たとえばソレノイドによって行う。ロック部材がロック位置をとるときには、窓戸を開く方向へ移動させると、窓戸に設けられたストッパが開方向に移動してラッチ部材と干渉し、窓の開放が制限される。窓戸に対するストッパの取り付け位置を適宜設定することにより、窓が所定量以上に開かないようにすることができる。窓用錠装置に関する技術については、たとえば下記の特許文献１に記載されている。
【０００４】
病院等の施設においては、上記した窓用錠装置の制御は、たとえば当該装置の設置場所から離れた管理室等に配備されたコントローラからの制御信号に基づいて行われる。上記窓用錠装置が設けられた窓の開放制限を行う際には、たとえばコントローラの切り替えスイッチの操作によって、上記ソレノイドへの通電がなされ、ロック部材がロック位置をとる。このとき、ラッチ部材は干渉状態に保持されており、窓を開けようとしても、ストッパとラッチ部材との干渉により窓の開放は所定量に制限される。
【０００５】
また、特許文献１に開示された窓用錠装置においては、窓の開放が制限されずに窓が十分に開いた状態において、開放制限を行うスイッチ操作がなされても、ラッチ部材が干渉状態に保持されないように制御される。具体的には、ストッパの通過により窓が開いたことを検出するための検出部が設けられており、窓が開いた状態にあることが検出部により検出されると、開放制限を行うスイッチ操作がなされても、ソレノイドへの通電がなされない。このとき、ロック部材がロック位置をとらず、ラッチ部材は干渉状態に保持されない。その結果、開いた窓を閉じることができなくなるといった不都合を回避することができる。
【０００６】
しかしながら、窓用錠装置に対して、上記のような制御が必ずしもなされるとは限らない。すなわち、コントローラの制御の仕様としては、上記のような検出部を備えた窓用錠装置に対応せずに、スイッチ操作により窓用錠装置のオン−オフの切り替え（ソレノイドへの通電のオン−オフ切り替え）のみを行う場合もある。このような制御によれば、窓が開いた状態で開放制限を行うスイッチ操作がなされると、窓を閉じることができない事態が生じ得る。
【先行技術文献】
【特許文献】
【０００７】
【特許文献１】特開２００３−７４２４７号公報
【発明の概要】
【発明が解決しようとする課題】
【０００８】
本発明は、上記した事情のもとで考え出されたものであって、施錠時においても開いた窓を適切に閉じることができる窓用錠装置を提供することを課題とする。
【課題を解決するための手段】
【０００９】
本発明の第１の側面によって提供される窓用錠装置は、戸枠と、この戸枠に嵌め込まれ、開閉移動する窓戸とを備える窓に設ける窓用錠装置であって、上記窓戸側に設けられたストッパと、上記戸枠側に設けられた施錠機構と、を備え、上記施錠機構は、フック部を有してこのフック部が上記ストッパの移動軌跡と干渉する第１状態と、上記フック部が上記ストッパの移動軌跡と干渉しない第２状態との間を回動可能に支持されたラッチ部材と、上記ラッチ部材を上記第１状態に保持するロック位置と、上記ラッチ部材を回動可能とする非ロック位置とを選択できるロック部材と、を備え、上記ロック部材に上記ロック位置をとらせている状態において、上記ストッパが開方向から閉方向に移動して上記フック部に接触したとき、上記ストッパの移動力により、上記フック部が上記ストッパの移動軌跡と干渉しないように上記ラッチ部材を退避させるラッチ部材退避機構を備えることを特徴としている。
【００１０】
本発明の好ましい一つの実施の形態においては、上記ラッチ部材退避機構は、上記ストッパの上記閉方向への移動にともない、上記ラッチ部材を、上記閉方向に移動させるとともに上記ストッパの移動軌跡から離間する方向に移動させるガイド機構と、上記ラッチ部材を、上記第２状態から上記第１状態に向けて回動する方向、および上記開方向への付勢力を付与するための付勢部材と、を有する。
【００１１】
本発明の好ましい実施の形態においては、上記ラッチ部材は、このラッチ部材を収容するケースに支持されており、上記ガイド機構は、上記ラッチ部材または上記ケースのいずれか一方に設けられるガイド穴と、上記ラッチ部材または上記ケースの他方に設けられ、上記ガイド穴に嵌まる軸部と、を備え、上記ガイド穴は、全体として、上記開方向から上記閉方向に向かうにつれて上記ストッパの移動軌跡から離間するように傾斜している。
【００１２】
本発明の好ましい実施の形態においては、上記ガイド穴は、上記ストッパの移動軌跡に沿う方向に延びる第１部分と、この第１部分につながり、上記ストッパの移動軌跡に対して近接ないし離間する方向に延びる第２部分とを有する。
【００１３】
本発明の好ましい実施の形態においては、上記付勢部材は、上記ケースおよび上記ラッチ部材に連結される引張コイルバネを含んで構成され、上記引張コイルバネの一方の端部は、上記ラッチ部材が上記第１状態をとるときの上記フック部よりも上記開方向に変位した位置において上記ケースに連結され、上記引張コイルバネの他方の端部は、上記一方の端部よりも上記ストッパの移動軌跡に対して離間する方向に変位した位置において上記ラッチ部材に連結されている。
【００１４】
本発明の好ましい実施の形態においては、上記施錠機構は、上記ロック部材を上記ロック位置と上記非ロック位置との間で移動させるソレノイドを含んで構成されており、上記ロック部材は、上記ソレノイドの通電時に上記ロック位置をとり、上記ソレノイドの非通電時に上記非ロック位置をとる。
【００１５】
本発明の好ましい実施の形態においては、上記ストッパは、窓戸の開閉方向に離間する第１および第２のストッパを含んで構成され、上記第１のストッパは、窓戸が全閉もしくは略全閉である状態において、上記フック部との干渉により上記窓戸が上記開方向へ移動するのを阻止し、上記第２のストッパは、窓戸が全閉状態から所定量開いた状態において、上記フック部との干渉により上記窓戸がさらに上記開方向へ移動するのを阻止する。
【００１６】
本発明の好ましい実施の形態においては、上記窓戸が全閉もしくは略全閉である状態にあるか否かを検出する検出手段をさらに備える。
【００１７】
本発明の好ましい他の実施の形態においては、上記ラッチ部材退避機構は、上記ラッチ部材を上記第１状態から上記第２状態に向けて回動する方向への付勢力を付与するための第１の付勢部材と、上記ロック部材の上記非ロック位置から上記ロック位置への移動にともなって上記ラッチ部材を上記第２状態から上記第１状態に回動させる第１のカム機構と、上記ロック部材を上記ラッチ部材から離間した回動軸周りに回動させる回動機構と、上記ロック部材を上記ストッパの移動軌跡から離間する位置から上記ストッパの移動軌跡に近接する位置に向けて回動する方向への付勢力を付与するための第２の付勢部材と、上記ラッチ部材が上記第１状態をとるとき、上記ストッパの上記開方向から上記閉方向への移動により、上記ラッチ部材を上記第２状態に向けて回動させる第２のカム機構とを、備え、上記第２の付勢部材による付勢力は、上記第１の付勢部材による付勢力よりも大とされている。
【００１８】
本発明のその他の特徴および利点は、添付図面を参照して以下に行う詳細な説明によって、より明らかとなろう。
【図面の簡単な説明】
【００１９】
【図１】本発明に係る窓用錠装置を窓に設けた使用状態を示す正面図である。
【図２】図１のＩＩ-ＩＩ線に沿う断面図である。
【図３】図２のＩＩＩ−ＩＩＩ線に沿う断面図である。
【図４】図３のＩＶ−ＩＶ線に沿う要部断面図である。
【図５】窓用錠装置の使用時の一態様を示す図３と同様の図である。
【図６】窓用錠装置の使用時の一態様を示す図３と同様の図である。
【図７】窓用錠装置の使用時の一態様を示す図３と同様の図である。
【図８】窓用錠装置の制御に係る構成を示すブロック図である。
【図９】操作パネルの一例を示す図である。
【図１０】窓用錠装置の制御の一例を示すフローチャートである。
【図１１】本発明に係る窓用錠装置の他の例を示す図３と同様の図である。
【図１２】窓用錠装置の使用時の一態様を示す図１１と同様の図である。
【図１３】窓用錠装置の使用時の一態様を示す図１１と同様の図である。
【図１４】窓用錠装置の使用時の一態様を示す図１１と同様の図である。
【図１５】窓用錠装置の使用時の一態様を示す図１１と同様の図である。
【発明を実施するための形態】
【００２０】
以下、本発明の好ましい実施の形態につき、図面を参照して具体的に説明する。
【００２１】
図１〜図４は、本発明に係る窓用錠装置の一例を示している。図１および図２に表れているように、本実施形態の窓用錠装置Ａ１は、施錠機構１とストッパ部材２とを備え、窓に設けて当該窓の開放を制限するために使用されるものである。窓用錠装置Ａ１が設けられる窓Ｗは、戸枠Ｗ１と、この戸枠Ｗ１に嵌め込まれて開閉移動する窓戸Ｗ２とを備えており、いわゆる引き戸や引き違い戸と呼称されるタイプのものである。なお、図２においては、施錠機構１の内部構造を省略している。
【００２２】
施錠機構１は、ケース３に収容されており、このケース３が戸枠Ｗ１の上側の枠部分の適所にビス止め等の手段（図示略）によって取り付けられている。これにより、施錠機構１は、戸枠Ｗ１側に設けられている。
【００２３】
ケース３は、窓戸Ｗ２の開閉移動方向を長手方向とする略直方体形状とされている。ケース３の上下に対向する壁部内面には、ガイドプレート３１が設けられている。詳細は後述するが、ガイドプレート３１には、後述するラッチ部材１１の軸部１１３を回動可能かつ移動可能に支持するためのガイド穴３２が形成されている。また、ケース３の側壁部には、後述するラッチ部材１１のフック部１１１を出没させるための開口３３が形成されている。
【００２４】
ストッパ部材２は、窓戸Ｗ２に設けられており、窓戸Ｗ２の上側の枠部分の適所にビス止め等の手段（図示略）により取り付けられている。図３に表れているように、ストッパ部材２は、ケース３と近接して位置しており、窓戸Ｗ２の開閉移動にともなって開方向Ｘ１ないし閉方向Ｘ２へ移動する。ストッパ部材２は、ケース３側に突出するストッパ２１，２２を有し、これらストッパ２１，２２は、窓戸Ｗ２の開閉方向に離間している。詳細は後述するが、ストッパ２１は、窓戸Ｗ２が全閉もしくは略全閉である状態において当該窓戸Ｗ２が開方向Ｘ１へ移動するのを阻止するためのものであり、ストッパ２２は、窓戸Ｗ２が全閉状態から所定量（たとえば約１３ｃｍ）開いた状態において当該窓戸Ｗ２がさらに開方向Ｘ１へ移動するのを阻止するためのものである。これらストッパ２１，２２は、窓戸Ｗ２を開閉移動させる際に、直線状の移動軌跡Ｔ（図中において濃く表した部分）をとる。
【００２５】
図３および図４に表れているように、施錠機構１は、ラッチ部材１１と、ロック部材１２と、ソレノイド１３とを備えて構成されている。ラッチ部材１１は、全体としてプレート状とされており、先端側に位置するフック部１１１と、基端側に位置する係止部１１２とを有している。ラッチ部材１１のフック部１１１と係止部１１２の間には、厚み方向に貫通状に延びる軸部１１３が設けられている。軸部１１３の両端は、両ガイドプレート３１のガイド穴３２に嵌まっている。これにより、ラッチ部材１１は、ケース３によって回動可能かつ移動可能に支持されている。
【００２６】
フック部１１１は、ケース３の開口３３から出没させられてストッパ２１，２２と干渉する部分であり、ストッパ２１，２２の移動軌跡Ｔと干渉する干渉状態（図３参照）と、ストッパ２１，２２の移動軌跡Ｔと干渉しない非干渉状態（図５参照:図中仮想線で示す）とをとる。本実施形態では、フック部１１１は、窓戸Ｗ２の開方向Ｘ１から閉方向Ｘ２に向かうにつれてストッパ部材２に近接する傾斜面１１１ａを有する。
【００２７】
詳細は後述するが、係止部１１２は、ロック部材１２との係合により、ラッチ部材１１の干渉状態（第１状態）から非干渉状態（第２状態）に向けての回動を規制するためのものである。
【００２８】
本実施形態では、ラッチ部材１１は、ケース３およびラッチ部材１１に連結される２本の引張コイルバネ１４（付勢部材）によって付勢力が付与されている。具体的には、図３および図４に表れているように、引張コイルバネ１４の一方の端部は、ラッチ部材１１が干渉状態をとるときのフック部１１１よりも開方向Ｘ１に変位した位置において、バー３４を介してケース３に連結されている。引張コイルバネ１４の他方の端部は、上記一方の端部よりもストッパ２１，２２の移動軌跡Ｔに対して離間する方向Ｙ１に変位した位置において、バー１１４を介してラッチ部材１１に連結されている。これにより、ラッチ部材１１は、常時、非干渉状態から干渉状態に回動する方向、および開方向Ｘ１へ付勢力が付与されており、外力が作用しないときには、図３に示された干渉状態をとっている。
【００２９】
ロック部材１２は、窓用錠装置Ａ１の施錠時にラッチ部材１１を干渉状態に保持するためのものであり、ソレノイド１３の作動子１３１に連結されている。ロック部材１２は、作動子１３１の動きに応じて、ラッチ部材１１側に進出するロック位置（図３参照）と、ラッチ部材１１側から後退する非ロック位置（図５参照）とをとる。
【００３０】
ソレノイド１３は、ロック部材１２をロック位置と非ロック位置との間で移動させるためのものである。ソレノイド１３の通電時には、図３に表れているように、作動子１３１がラッチ部材１１側に進出し、ロック部材１２はロック位置をとる。このとき、干渉状態をとるラッチ部材１１は、非干渉状態をとる方向に向けて回動させる力が作用しても、係止部１１２とロック部材１２との係合により、回動が規制される。すなわち、ロック部材１２がロック位置をとるとき、ラッチ部材１１は干渉状態に保持される。一方、ソレノイド１３の非通電時には、図５に表れているように、圧縮コイルバネ１３２の付勢力により作動子１３１がラッチ部材１１側から後退し、ロック部材１２は非ロック位置をとる。このとき、ロック部材１２とラッチ部材１１の係止部１１２とが離れており、ラッチ部材１１は干渉状態から非干渉状態へと回動可能となっている。
【００３１】
図５に表れているように、ロック部材１２が非ロック位置をとるとき、窓戸Ｗ２が閉じた状態から開いていくと、ストッパ２１（２２）がフック部１１１に接触し、ストッパ２１（２２）の移動力によって、ラッチ部材１１は、引張コイルバネ１４の付勢力に抗して非干渉状態に向けて回動させられる。このラッチ部材１１の回動により、ストッパ２１（２２）は、フック部１１１を越えて開方向Ｘ１に移動させることができる。また、ロック部材１２が非ロック位置をとるとき、窓戸Ｗ２が開いた状態から閉じていく場合にも、ラッチ部材１１は、引張コイルバネ１４の付勢力に抗して非干渉状態に向けて回動させられる。このラッチ部材１１の回動により、ストッパ２１（２２）は、フック部１１１を越えて閉方向Ｘ２に移動させることができる。したがって、ロック部材１２が非ロック位置をとるときには、窓戸Ｗ２の開閉を支障なく行うことができる。
【００３２】
本実施形態の窓用錠装置Ａ１は、ラッチ部材退避機構４をさらに備えている。ラッチ部材退避機構４は、ロック部材１２にロック位置をとらせている状態において、ストッパ２１，２２の閉方向Ｘ２移動力により、フック部１１１がストッパ２１，２２の移動軌跡Ｔと干渉しないようにラッチ部材１１を退避させるためのものであり、ガイド機構と引張コイルバネ１４とを有する。
【００３３】
ガイド機構は、ストッパ２１，２２を開方向Ｘ１から閉方向Ｘ２に移動させる際に、ラッチ部材１１を、閉方向Ｘ２に移動させるとともにストッパ２１，２２の移動軌跡Ｔから離間する方向に移動させるためのものである。本実施形態では、ケース３に設けられたガイド穴３２およびラッチ部材１１に設けられた軸部１１３がガイド機構を担う。
【００３４】
図３に表れているように、ガイド穴３２は、第１部分３２１と、この第１部分３２１につながる第２部分３２２とを有し、全体として、窓戸Ｗ２の開方向Ｘ１から閉方向Ｘ２に向かうにつれてストッパ２１，２２の移動軌跡Ｔから離間するように傾斜している。第１部分３２１は、上記ストッパ２１，２２の移動軌跡Ｔに沿う方向に延びており、第２部分３２２は、ストッパ２１，２２の移動軌跡Ｔに対して近接ないし離間する方向Ｙ１，Ｙ２に延びている。図３に表れているように、ラッチ部材１１が干渉状態にあるとき、軸部１１３は第１部分３２１の端部に位置している。
【００３５】
上記構成により、ロック部材１２にロック位置をとらせている状態において、ストッパ２１，２２が開方向Ｘ１から閉方向Ｘ２に移動してフック部１１１に接触すると、所定以上のストッパ２１，２２の移動力により、ラッチ部材１１は、引張コイルバネ１４の付勢力に抗して移動させられる。このとき、ラッチ部材１１は、図６に表れているように、まず、軸部１１３がガイド穴３２の第１部分３２１に沿って移動することにより、閉方向Ｘ２に移動させられる。さらに、ストッパ２１（２２）が閉方向に移動させられると、図７に表れているように、ラッチ部材１１は、軸部１１３がガイド穴３２の第２部分３２２に沿ってストッパ２１，２２の移動軌跡Ｔから離間するように移動しつつ、ラッチ部材１１は、図中における反時計回りの方向に回動する。このようなことから理解されるように、ロック部材１２にロック位置をとらせている状態においても、ストッパ２１（２２）を閉方向Ｘ２に移動させると、ストッパ２１（２２）の移動力によってフック部１１１が退避させられ、ストッパ２１（２２）はフック部１１１を越えて閉方向Ｘ２に移動させることができる。ストッパ２１（２２）がフック部１１１を越えた後には、ラッチ部材１１は、引張コイルバネ１４の弾性復元力により、干渉状態に戻る。
【００３６】
本実施形態の窓用錠装置Ａ１は、マグネットセンサ５を備えている。マグネットセンサ５は、窓戸Ｗ２が全閉もしくは略全閉である状態にあるか否かを検出するものであり、センサ本体５１とマグネット５２とを備えている。センサ本体５１は、ケース３における窓戸Ｗ２の閉方向Ｘ２の端部に設けられており、マグネット５２は、ストッパ部材２における窓戸Ｗ２の閉方向Ｘ２の端部に設けられている。マグネットセンサ５は、マグネット５２がセンサ本体５１から所定の範囲内に位置するか否かを検出する。
【００３７】
本実施形態の窓用錠装置Ａ１は、たとえば、高齢者施設や病院などに設置され、この窓用錠装置Ａ１の設置場所から離れた管理室等に配備された制御部によって遠隔操作される。窓用錠装置Ａ１には、たとえば図示しない給電線や信号線が接続されており、窓用錠装置Ａ１（ソレノイド１３）の制御は、コントローラＣからの制御信号に基づいて行われる。
【００３８】
図８は、窓用錠装置Ａ１の制御に係る構成を示すブロック図である。同図に表れているように、コントローラＣは、施設内に設置された複数の窓用錠装置Ａ１と連携しており、これら窓用錠装置Ａ１を集中管理している。
【００３９】
各窓用錠装置Ａ１において、マグネットセンサ５（センサ本体５１）は、ストッパ部材２に設けられたマグネット５２がセンサ本体５１から所定の範囲内に位置する場合には、マグネット５２の磁力を検出し、窓戸Ｗ２が全閉もしくは略全閉の状態にあるとして、検出信号をコントローラＣに出力する。そして、ストッパ２１がフック部１１１を越えるまで窓戸Ｗ２が開くと、マグネットセンサ５２は磁力を検出しなくなり、検出信号がコントローラＣに出力されることはない。このようにマグネットセンサ５からの検出信号の有無により、窓用錠装置Ａ１が設けられた窓Ｗについて、窓戸Ｗ２が全閉もしくは略全閉の状態にあるか否かが検出される。
【００４０】
窓用錠装置Ａ１の施錠および解錠は、ソレノイド１３への通電のオン−オフ切り替えにより行う。すなわち、コントローラＣは、窓用錠装置Ａ１の施錠時にはソレノイド１３に通電する制御信号を出力し、窓用錠装置Ａ１の解錠時にはソレノイド１３の通電をオフにする制御信号を出力する。ソレノイド１３の通電時および非通電時におけるロック部材１２やラッチ部材１１の態様については、図３および図５〜図７を参照して上述したとおりである。なお、コントローラＣは、たとえばマイクロコンピュータを含む電子回路によって構成され、窓用錠装置Ａ１の制御を行うことが可能となっている。また、各窓用錠装置Ａ１とコントローラＣとの間の信号の入出力は、有線または無線のいずれの方式によっても行うことができる。
【００４１】
本実施形態の窓用錠装置Ａ１は、使用状況に応じて、窓Ｗの全閉状態での施錠、開放制限状態での施錠（採風）、全開（解錠）の３モードの切り替えが可能とされている。これらモードの切り替えは、コントローラＣの切替スイッチの操作によって行う。
【００４２】
図９は、コントローラＣの操作パネルＰの一例を示している。操作パネルＰには、「施錠」、「採風」、「解錠」を示すスイッチＳ１，Ｓ２，Ｓ３と、「開扉」表示用のＬＥＤランプＬが設けられている。
【００４３】
図１０は、各モードにおける制御の一例を示すフローチャートである。図１０（ａ）は、施錠モードの制御フローを示している。施錠のスイッチ操作がなされると（Ｓ１０）、ソレノイド１３への通電がなされ、窓用錠装置Ａ１がロック状態（施錠状態）となる（Ｓ１１）。このとき、窓戸Ｗ２が閉じているか否かにかかわらず、ソレノイド１３の作動によりロック部材１２がロック位置をとる。また、ラッチ部材１１は、干渉状態で保持されており、回動が規制されている。
【００４４】
施錠モードにおいては、窓戸Ｗ２が閉じている場合には、当該窓戸Ｗ２を開こうとしても、ストッパ２１とラッチ部材１１のフック部１１１との干渉により、窓戸Ｗ２が開方向へ移動することは阻止される。一方、施錠モードにおいて窓戸Ｗ２が開いている場合には、当該窓戸Ｗ２を閉じていくと、ストッパ２１（２２）とフック部１１１とが接触する。このとき、上述したように、窓戸Ｗ２の閉方向Ｘ２への移動にともなうストッパ２１（２２）の移動力によって、ラッチ部材退避機構４が機能し、フック部１１１は退避する。そして、ストッパ２１（２２）はフック部１１１を越えて閉方向Ｘ２に移動する。ストッパ２１（２２）がフック部１１１を越えた後には、ラッチ部材１１は、引張コイルバネ１４の弾性復元力により、干渉状態に戻る。その後、窓戸Ｗ２を開こうとしても、ストッパ２１（２２）とフック部１１１との干渉により、窓戸Ｗ２が開方向Ｘ１へ移動することは阻止される。
【００４５】
図１０（ｂ）は、採風モードの制御フローを示している。採風のスイッチ操作がなされると（Ｓ２０）、まず、窓戸Ｗ２が閉じているか否かが判別される（Ｓ２１）。窓戸Ｗ２が閉じているか否かの判別は、マグネットセンサ５からの検出信号の有無によって常時行われる。マグネットセンサ５から検出信号が出力された場合、すなわち窓戸Ｗ２が閉じている場合（Ｓ２１：ＹＥＳ）、ソレノイド１３への通電がなされずに、窓用錠装置Ａ１は非ロック状態（解錠状態）となる（Ｓ２２）。このとき、ロック部材１２は非ロック位置をとっており、ラッチ部材１１は、干渉状態から非干渉状態へと回動可能となっている。ここで、窓戸Ｗ２を開けていくと（Ｓ２３）、ストッパ２１がフック部１１１に接触する。このとき、窓戸Ｗ２の開方向Ｘ１への移動にともなうストッパ２１の移動力によって、ラッチ部材１１が非干渉状態に向けて回動する（図５における反時計回り）。そして、ストッパ２１がフック部１１１を越えるまで開方向Ｘ１に移動すると、マグネットセンサ５から検出信号が出力されなくなる（Ｓ２４：ＹＥＳ）。マグネットセンサ５からの検出信号がオフになると、ソレノイド１３への通電がなされ、窓用錠装置Ａ１がロック状態（施錠状態）となる（Ｓ２５）。ここで、窓戸Ｗ２をさらに開けていくと、ストッパ２２とフック部１１１とが干渉する。このとき、窓戸Ｗ２が開方向Ｘ１へ移動することは阻止されており、窓戸Ｗ２の開放幅が設定された所定量に制限される。
【００４６】
ステップ２１において、マグネットセンサ５から検出信号が出力されない場合、すなわち窓戸Ｗ２が開いている場合（Ｓ２１：ＮＯ）、ソレノイド１３への通電がなされ、窓用錠装置Ａ１がロック状態（施錠状態）となる（Ｓ２６）。なお、採風モード（開放制限）においてストッパ２２がフック部１１１を越える位置まで窓戸Ｗ２が開いている場合、当該窓戸Ｗ２を閉じていくと、ストッパ２２とフック部１１１とが接触する。このとき、ラッチ部材退避機構４が機能することにより、施錠モードに関して上述したのと同様にして、窓戸Ｗ２を閉じることができる。
【００４７】
図１０（ｃ）は、解錠モードの制御フローを示している。解錠のスイッチ操作がなされると（Ｓ３０）、ソレノイド１３への通電がなされずに、窓用錠装置Ａ１は非ロック状態（解錠状態）となる（Ｓ３１）。このとき、ロック部材１２は非ロック位置をとっており、ラッチ部材１１は、干渉状態から非干渉状態へと回動可能となっている。ここで、窓戸Ｗ２が閉じた状態から開いていく場合、もしくは窓戸Ｗ２が開いた状態から閉じていく場合のいずれにおいても、ストッパ２１（２２）がフック部１１１に接触した後、窓戸Ｗ２の開方向Ｘ１もしくは閉方向Ｘ２への移動にともなうストッパ２１（２２）の移動力によって、ラッチ部材１１が非干渉状態に向けて回動する。したがって、解錠モードにおいては、窓戸Ｗ２の開閉を自由に行うことができる。
【００４８】
なお、窓用錠装置Ａ１の使用時において、当該窓用錠装置Ａ１が設けられた窓Ｗが開状態あるいは閉状態のいずれにあるかについては、ＬＥＤランプＬの表示によって識別することができる。たとえばマグネットセンサ５からの検出信号の有無に基づき、窓戸Ｗ２が開いている場合にはＬＥＤランプＬが点灯表示し、窓戸Ｗ２が閉じている場合にはＬＥＤランプＬが点滅表示する。
【００４９】
本実施形態の窓用錠装置Ａ１は、ラッチ部材退避機構４を備えている。このため、窓戸Ｗ２が開いた状態で窓用錠装置Ａ１がロック状態とされても、上述のように窓戸Ｗ２を閉じることができる。したがって、窓戸Ｗ２が開いた状態で施錠あるいは採風に切り替えても、窓戸Ｗ２を閉じることができなくなるといった不都合が生じることはない。
【００５０】
ラッチ部材退避機構４は、ガイド機構と引張コイルバネ１４（付勢部材）とを有している。これにより、ストッパ２１（２２）の閉方向Ｘ２への移動にともない、ストッパ２１（２２）をラッチ部材１１（フック部１１１）に接触させながら当該ラッチ部材１１を退避させることができる。そして、ストッパ２１（２２）がフック部１１１を通過した後には、引張コイルバネ１４の弾性復元力によってラッチ部材１１がもとの干渉状態に戻り、窓用錠装置Ａ１はロック状態に維持される。したがって、かかる構成によれば、ラッチ部材退避機構４を適切に機能させることができる。
【００５１】
ガイド機構を構成するガイド穴３２は、全体として、窓戸Ｗ２の開方向Ｘ１から閉方向Ｘ２に向かうにつれてストッパ２１（２２）の移動軌跡Ｔから離間するように傾斜している。このような構成によれば、ストッパ２１（２２）の閉方向Ｘ２への移動にともなってラッチ部材１１を移スムーズに退避させることができる。
【００５２】
ガイド穴３２は、互いに延びる方向が異なる第１および第２部分３２１，３２２を有しており、ラッチ部材１１が干渉状態にあるとき、軸部１１３は第１部分３２１の端部に位置する。このような構成によれば、ラッチ部材１１の干渉状態と非干渉状態との間における回動動作が安定する。
【００５３】
本実施形態では、窓戸Ｗ２の開閉方向に離間するストッパ２１，２２を備えている。さらに、窓戸Ｗ２が閉じているか否かを検出するマグネットセンサ５を有する。このような構成によれば、図１０のフローチャートを参照して上述したように、使用状況に応じて、施錠、採風、および解錠の３モードの切り替えを適切に行うことができる。
【００５４】
図１１〜図１５は、本発明に係る窓用錠装置の他の例を示している。なお、これらの図において、上記実施形態と同一または類似の要素には、上記実施形態と同一の符号を付しており、適宜説明を省略する。
【００５５】
本実施形態の窓用錠装置Ａ２は、ラッチ部材退避機構４の構成が上記実施形態と異なっており、これに伴い種々の変更が施されている。図１１および図１２は、窓用錠装置Ａ２がロック状態（施錠状態）をとるときを示しており、ロック部材１２はロック位置をとっている。本実施形態では、上記実施形態のガイド機構は有しておらず、ラッチ部材１１はケース３に回動可能に支持されている。また、ラッチ部材１１の軸部１１３には、ねじりコイルバネ１５（第１の付勢部材）が装着されており、ラッチ部材１１は、ねじりコイルバネ１５によって干渉状態から非干渉状態に向けて回動する方向（図中の反時計回り）への付勢力が付与されている。これにより、図１３に表れているように、ロック部材１２がラッチ部材１１側から後退する非ロック位置をとるとき、ラッチ部材１１は、ねじりコイルバネ１５の付勢力により非干渉状態をとる。
【００５６】
本実施形態では、ラッチ部材１１を非干渉状態から干渉状態に回動させるカム機構４１（第１のカム機構）を備えている。カム機構４１は、ロック部材１２の先端傾斜面１２１とラッチ部材１１の傾斜面１１５とを有して構成される。図１１および図１３から理解されるように、ロック部材１２が非ロック位置からロック位置へ移動すると、この移動にともなって、ラッチ部材１１は、非干渉状態から干渉状態へと回動する（図中の時計回り）。
【００５７】
ソレノイド１３は、プレート３５を介してケース３に支持されており、プレート３５は、開方向Ｘ１の端部に設けられた回動軸３６周りに回動可能となっている。これにより、ロック部材１２およびソレノイド１３は、ラッチ部材１１から離間した回動軸３６周りに回動可能である。また、回動軸３６には、ねじりコイルバネ１６（第２の付勢部材）が装着されており、ロック部材１２は、ストッパ２１，２２の移動軌跡Ｔから離間する位置から移動軌跡Ｔに近接する位置に向けて回動する方向（図中の反時計回り）の付勢力が付与されている。上記付勢力によるロック部材１２およびソレノイド１３の回動は、ソレノイド１３のハウジング１３３とケース３の側壁３７とが当接することによって規制される。
【００５８】
そして、ねじりコイルバネ１６の付勢力は上記ねじりコイルバネ１５の付勢力よりも大とされている。これにより、図１１および図１３を参照して上述したように、ロック部材１２が非ロック位置からロック位置へ移動すると、ラッチ部材１１は、ねじりコイルバネ１５の付勢力に抗して非干渉状態から干渉状態へと回動させられる。
【００５９】
本実施形態においては、ストッパ２１，２２は、フック状の係合部２１１，２２１を有している。また、図１１および図１２に表れているように、ラッチ部材１１のフック部１１１は、ラッチ部材１１が干渉状態をとるとき、ストッパ２１（２２）の開方向Ｘ１への移動によって係合部２１１（２２１）と係合しうる形状とされている。そして、図１２に示されたフック部１１と係合部２１１とが係合する状態においては、ラッチ部材１１の非干渉状態への回動（図中の反時計回り）、およびストッパ２１の開方向Ｘ１への移動が阻止されている。
【００６０】
図１４に表れているように、本実施形態では、ラッチ部材１１が干渉状態をとるとき、ストッパ２１，２２の開方向Ｘ１から閉方向Ｘ２への移動によりラッチ部材１１を非干渉状態に向けて回動させるカム機構４２（第２のカム機構）を備えている。カム機構４２は、ストッパ２１，２２の傾斜面２１２，２２２とラッチ部材１１の傾斜面１１６とを有して構成される。このような構成により、ロック部材１２にロック位置をとらせている状態において、ストッパ２１（２２）が開方向Ｘ１から閉方向Ｘ２に移動してフック部１１１に接触すると、所定以上のストッパ２１（２２）の移動力により、ラッチ部材１１は、ねじりコイルバネ１６の付勢力に抗して図中における反時計回りの方向に回動させられる（図１５参照）。このようなことから理解されるように、ロック部材１２にロック位置をとらせている状態においても、ストッパ２１（２２）を閉方向Ｘ２に移動させると、ストッパ２１（２２）の移動力によってフック部１１１が退避させられ、ストッパ２１（２２）はフック部１１１を越えて閉方向Ｘ２に移動させることができる。ストッパ２１（２２）がフック部１１１を越えた後には、ラッチ部材１１は、ねじりコイルバネ１６の弾性復元力により、干渉状態に戻る。
【００６１】
本実施形態の窓用錠装置Ａ２の使用時においては、図１０を参照して上述したのと同様にして、３モードの切り替えが可能である。
【００６２】
本発明に係る窓用錠装置は、上述した実施形態に限定されるものではない。本発明にかかる窓用錠装置の各部の具体的な構成は、種々に設計変更自在である。
【００６３】
上記した窓用錠装置Ａ１においては、ラッチ部材１１に軸部１１３が設けられ、ケース３にガイド穴３２が設けられていたが、これに限定されない。たとえばラッチ部材１１にガイド穴を設け、ケース３に軸部を設けた構成としてもよい。
【符号の説明】
【００６４】
Ａ１，Ａ２    窓用錠装置
Ｔ        移動軌跡
Ｘ１      開方向
Ｘ２      閉方向
Ｙ１      （移動軌跡から離間する）方向
Ｙ２      （移動軌跡に近接する）方向
１        施錠機構
２        ストッパ部材
３        ケース
４        ラッチ部材退避機構
５        マグネットセンサ（検出手段）
１１      ラッチ部材
１１１    フック部
１１２    係止部
１１３    軸部
１１４    バー
１１５    傾斜面
１２      ロック部材
１２１    先端傾斜面
１３      ソレノイド
１３１    作動子
１３２    圧縮コイルバネ
１３３    ハウジング
１４      引張コイルバネ（付勢部材）
１５      ねじりコイルバネ（第１の付勢部材）
１６      ねじりコイルバネ（第２の付勢部材）
２１      ストッパ（第１のストッパ）
２２      ストッパ（第２のストッパ）
２１１，２２１    係合部
２１２，２２２    傾斜面
３１      ガイドプレート
３２      ガイド穴
３３      開口
３４      バー
３５      プレート
３６      回動軸
３７      側壁
４１      カム機構（第１のカム機構）
４２      カム機構（第２のカム機構）
【図１】
2012172327.tif 000003
【図２】
2012172327.tif 000004
【図４】
2012172327.tif 000005
【図８】
2012172327.tif 000006
【図９】
2012172327.tif 000007
【図１０】
2012172327.tif 000008
【図３】
2012172327.tif 000009
【図５】
2012172327.tif 000010
【図６】
2012172327.tif 000011
【図７】
2012172327.tif 000012
【図１１】
2012172327.tif 000013
【図１２】
2012172327.tif 000014
【図１３】
2012172327.tif 000015
【図１４】
2012172327.tif 000016
【図１５】
2012172327.tif 000017